(57)【要約】    【課題】両面印刷機構を有しない画像形成装置、すなわちいわゆる片面機において、ユーザがより容易かつ良好に両面印刷処理を行えるように改良されたものが望まれていた。    【解決手段】両面印刷モード設定時に、表面印刷終了時から所定のＴ１時間を経過するまでに、表面印刷済用紙が給紙トレイ２３にセットされなかったときには、両面印刷モードを中断し、他のジョブの実行を可能とする。そして、その後Ｔ２時間が経過するまでの間に、ユーザから両面印刷モードを継続したい旨の信号入力があったときには、プリンタは両面印刷モードに復帰して、表面印刷済用紙に対して裏面印刷処理を行う。    【効果】ユーザが両面印刷の際に表面印刷済用紙を手差しトレイにセットし忘れていたような場合に、他のユーザからの他のジョブを行わせることができ、また、両面印刷を復帰させることができるので、使い勝手の良い両面印刷制御を提供できる。【選択図】            図４
2006255951.tif 000002
【特許請求の範囲】
【請求項１】
用紙を反転させ、用紙の表裏両面に自動的に印刷を行うための両面印刷機構を有していない画像形成装置において、
用紙の表裏両面に印刷を行うべき旨の両面印刷指示、および、印刷データが与えられたことに応答して、与えられた印刷データ以外の印刷は受け付けない両面印刷モードを設定する手段、
上記両面印刷モードにおいて、与えられた印刷データの中の表面用印刷データを用紙に印刷し、印刷済用紙を機外へ排出する表面印刷実行手段、
上記両面印刷モードが設定された後に、ユーザが所定の補助動作を行うことを了承した旨の信号を検出するＯＫ信号検出手段、
上記ＯＫ信号検出手段が信号を検出したことに基づき、上記表面印刷実行手段による印刷終了に応じて、時間の計測を開始する計時手段、
上記計時手段が所定の第１時間を計時するまでに、予め定める給紙部に用紙がセットされたか否かを検出する手段、
上記検出手段が用紙がセットされたことを検出したことに応答して、上記用紙を取り込み、上記与えられた印刷データの中の裏面用印刷データを用紙に印刷し、印刷済用紙を機外へ排出する裏面印刷実行手段、
上記計時手段が所定の第１時間を計時するまでに、上記予め定める給紙部に用紙がセットされなかったときには、両面印刷モードを中断して上記与えられた印刷データ以外の印刷を可能とし、かつ、両面印刷モードの復帰を待機した状態とする両面印刷モード中断手段、ならびに
上記計時手段が上記第１時間よりも長い所定の第２時間を計時するまでに、上記与えられた印刷データ中の裏面印刷データを印刷すべき旨の信号が与えられたときには、両面印刷モードを復帰する復帰手段、
を含むことを特徴とする画像形成装置。
【請求項２】
上記復帰手段は、両面印刷モードを復帰後、ユーザに対して、必要な操作または動作を報知する報知手段を含むことを特徴とする、請求項１記載の画像形成装置。
【請求項３】
上記画像形成装置はパソコンと接続可能であり、上記両面印刷指示、印刷データおよびＯＫ信号は、接続されたパソコンから与えられることを特徴とする、請求項１または２記載の画像形成装置。
【請求項４】
パソコンと接続された画像形成装置が、用紙を反転させ、用紙の表裏両面に自動的に印刷を行うための両面印刷機構を有していない画像形成装置である場合の印刷制御方法であって、
パソコンから画像形成装置に対して両面印刷指示および印刷データが与えられたことに応答して、画像形成装置を、与えられた印刷データ以外の印刷は受け付けない両面印刷モードに設定し、
与えられた印刷データの中の表面用印刷データを用紙に印刷して、印刷済用紙を機外へ排出する表面印刷を実行させ、
両面印刷モード設定後にパソコンから予め定めるＯＫ信号が与えられたことを検出して表面印刷の終了時から計時を開始し、
計時時間が所定の第１時間を経過するまでに用紙が予め定める給紙部にセットされたときには、そのセットされた用紙に与えられた印刷データの中の裏面用印刷データを印字して、印刷済用紙を機外へ排出する裏面印刷を実行させ、
計時時間が所定の第１時間を経過しても予め定める給紙部に用紙がセットされなかったときには、両面印刷モードを中断し、
計時時間が所定の第１時間を経過後、それよりも長い所定の第２時間を経過するまでの間は、中断した両面印刷モードを復帰可能なように待機するとともに、その間は、上記与えられた印刷データ以外の印刷を可能とすることを特徴とする、画像形成装置のための印刷制御方法。
【発明の詳細な説明】
【技術分野】
【０００１】
この発明は、プリンタ、複写機等の画像形成装置およびその印刷制御方法に関する。特に、この発明は、用紙の表裏両面に自動的に印刷を行ういわゆる両面印刷機構を有していない画像形成装置およびその印刷制御方法に関する。
【背景技術】
【０００２】
従来から、供給される用紙の表裏両面に自動的に画像を印刷して、当該両面に画像が印刷された用紙を排出位置へ排出する両面印刷機構を有する画像形成装置が知られている。この種の画像形成装置（いわゆる、両面機）では、両面印刷モードで印刷を行う場合、用紙カセットや手差しトレイ等の給紙位置にセットされた用紙が画像形成部へと供給されて、片方の面（第１面または表面）に画像が印刷された後、当該用紙が装置内で表裏反転されて再び画像形成部へと供給され、残りの片方の面（第２面または裏面）に画像が印刷される。このようにして表裏（第１面および第２面）に画像が印刷された用紙が排出トレイなどの機外の排出位置に排出されることにより、供給位置からの１回の給紙で両面印刷処理が達成されるようになっている。（たとえば特許文献１参照）
しかしながら、上記のような両面印刷機構を実現するためには、表面（第１面）に画像が印刷された後の用紙を画像形成装置内で表裏反転させるための装置（いわゆる、スイッチバック装置）を必要とし、画像形成装置全体の構成が大型化するとともにコストも高くなる。
【０００３】
そこで、両面印刷機構を有しない画像形成装置（いわゆる、片面機）を用いて両面印刷処理を行うことが考えられる。すなわち、給紙位置にセットした用紙を画像形成部へと供給し、片方の面（第１面または表面）に画像を印刷した後機外の排出位置へ排出させ、ユーザがその用紙を再び給紙位置にセットすることに応答して、当該用紙を画像形成部へと供給し、残りの片面（第２面または裏面）に画像を印刷させることにより、用紙の両面に画像を印刷することが可能である。（たとえば特許文献２，特許文献３参照）。
【特許文献１】特開平７−２７１５０８号公報
【特許文献２】特開２００４−２７９４４９号公報
【特許文献３】特開２００４−２７９４５１号公報
【発明の開示】
【発明が解決しようとする課題】
【０００４】
上記特許文献２，３に開示されているような、いわゆる片面機を用いて両面印刷処理を行うやり方の場合、両面印刷を行い易くするために「手差し両面印刷モード」が設けられているものがある。かかる「手差し両面印刷モード」が設けられたプリンタを例にとると、手差し両面印刷モードでは、表面が印刷された後、「手差しトレイに印刷済用紙をセットしてからＯＫボタンを押して下さい」といった内容のメッセージが、そのプリンタに接続されたユーザのパソコンにポップアップ表示される。つまり、ユーザが行うべき補助動作がユーザに報知される。
【０００５】
ところが、報知される補助動作に従って、ユーザは、表面の印刷終了後、プリンタのある場所に出向いて表面印刷済の用紙を手差しトレイにセットし、再度自席に戻ってパソコンのＯＫボタンを操作しなければならない。従って、ユーザに対して非効率的な作業を強いることになる。
また、手差し両面印刷モードにおいて、表面印刷終了後、ユーザが表面印刷済用紙を手差しトレイにセットし忘れていると、プリンタはいつまでも手差し両面印刷モードのままで、別のパソコン等から送られてくる印刷要求（他のジョブ）を受け付けたり、実行したりすることができないという課題もある。
【０００６】
さらに、仮に両面印刷モードのときに、他のジョブを受付可能にすると、両面印刷が正しく行われずに誤印刷が行われることがあるという課題もある。
この発明は、かかる背景のもとになされたもので、両面印刷機構を有しない画像形成装置、すなわちいわゆる片面機において、ユーザがより容易かつ良好に両面印刷処理を行うことができるように改良された画像形成装置を提供することを主たる目的とする。
【０００７】
またこの発明は、ユーザに対して的確な補助動作を報知するとともに、その報知に基づくユーザの動作に応答して、良好に両面印刷処理が行える両面印刷機構を有しない画像形成装置を提供することを他の目的とする。
さらにこの発明は、両面印刷機構を有しない画像形成装置における、改良された両面印刷制御方法を提供することを目的とする。
【課題を解決するための手段】
【０００８】
請求項１記載の発明は、用紙を反転させ、用紙の表裏両面に自動的に印刷を行うための両面印刷機構を有していない画像形成装置において、用紙の表裏両面に印刷を行うべき旨の両面印刷指示、および、印刷データが与えられたことに応答して、与えられた印刷データ以外の印刷は受け付けない両面印刷モードを設定する手段、上記両面印刷モードにおいて、与えられた印刷データの中の表面用印刷データを用紙に印刷し、印刷済用紙を機外へ排出する表面印刷実行手段、上記両面印刷モードが設定された後に、ユーザが所定の補助動作を行うことを了承した旨の信号を検出するＯＫ信号検出手段、上記ＯＫ信号検出手段が信号を検出したことに基づき、上記表面印刷実行手段による印刷終了に応じて、時間の計測を開始する計時手段、上記計時手段が所定の第１時間を計時するまでに、予め定める給紙部に用紙がセットされたか否かを検出する手段、上記検出手段が用紙がセットされたことを検出したことに応答して、上記用紙を取り込み、上記与えられた印刷データの中の裏面用印刷データを用紙に印刷し、印刷済用紙を機外へ排出する裏面印刷実行手段、上記計時手段が所定の第１時間を計時するまでに、上記予め定める給紙部に用紙がセットされなかったときには、両面印刷モードを中断して上記与えられた印刷データ以外の印刷を可能とし、かつ、両面印刷モードの復帰を待機した状態とする両面印刷モード中断手段、ならびに上記計時手段が上記第１時間よりも長い所定の第２時間を計時するまでに、上記与えられた印刷データ中の裏面印刷データを印刷すべき旨の信号が与えられたときには、両面印刷モードを復帰する復帰手段、を含むことを特徴とする画像形成装置である。
【０００９】
請求項２記載の発明は、上記復帰手段は、両面印刷モードを復帰後、ユーザに対して、必要な操作または動作を報知する報知手段を含むことを特徴とする、請求項１記載の画像形成装置である。
請求項３記載の発明は、上記画像形成装置はパソコンと接続可能であり、上記両面印刷指示、印刷データおよびＯＫ信号は、接続されたパソコンから与えられることを特徴とする、請求項１または２記載の画像形成装置である。
【００１０】
請求項４記載の発明は、パソコンと接続された画像形成装置が、用紙を反転させ、用紙の表裏両面に自動的に印刷を行うための両面印刷機構を有していない画像形成装置である場合の印刷制御方法であって、パソコンから画像形成装置に対して両面印刷指示および印刷データが与えられたことに応答して、画像形成装置を、与えられた印刷データ以外の印刷は受け付けない両面印刷モードに設定し、与えられた印刷データの中の表面用印刷データを用紙に印刷して、印刷済用紙を機外へ排出する表面印刷を実行させ、両面印刷モード設定後にパソコンから予め定めるＯＫ信号が与えられたことを検出して表面印刷の終了時から計時を開始し、計時時間が所定の第１時間を経過するまでに用紙が予め定める給紙部にセットされたときには、そのセットされた用紙に与えられた印刷データの中の裏面用印刷データを印字して、印刷済用紙を機外へ排出する裏面印刷を実行させ、計時時間が所定の第１時間を経過しても予め定める給紙部に用紙がセットされなかったときには、両面印刷モードを中断し、計時時間が所定の第１時間を経過後、それよりも長い所定の第２時間を経過するまでの間は、中断した両面印刷モードを復帰可能なように待機するとともに、その間は、上記与えられた印刷データ以外の印刷を可能とすることを特徴とする、画像形成装置のための印刷制御方法である。
【発明の効果】
【００１１】
請求項１の発明によれば、両面印刷機構を有しない画像形成装置（いわゆる片面機）を用いて用紙の表裏両面に印刷を行おうとする際に、表面印刷が終了後所定の第１時間が経過するまでの間は、両面印刷のために与えられた印刷データ以外の印刷は受け付けられず、ユーザの補助動作（具体的には表面印刷済の用紙を予め定める給紙部（手差しトレイなど）にセットするという動作）に基づいて、確実に両面印刷を行うことができる。
【００１２】
そして、仮に第１時間を経過するまでに、裏面印刷が行われなかったときには、両面印刷モードは一時中断されて他の印刷が可能となるから、画像形成装置が長時間特定の印刷データのためだけに独占されることにより、他の印刷ができないといった弊害を生じない。
さらに、両面印刷モードが一時中断している間に、ユーザが両面印刷モードを復帰させたい旨の操作をしたときには、中断されていた両面印刷モードが復帰して、既に与えられている印刷データに基づき、裏面印刷が行われるので、ユーザは、改めて両面印刷設定を行わなくてよく、使い勝手が向上している。
【００１３】
請求項２の発明によれば、両面印刷モードが一旦中断後に復帰した場合には、ユーザに対して必要な操作または動作が報知されるので、ユーザは、その報知に基づいて的確に裏面印刷のための操作を行うことができる。
請求項３の構成では、画像形成装置がパソコンと接続されている場合に、ユーザがパソコンから指示した両面印刷指令に基づき、適切に両面印刷処理を行うことができる。
【００１４】
請求項４の発明では、両面印刷機構を有していない画像形成装置を用いて両面印刷を行う場合に、ユーザにとって使い勝手の良い印刷制御方法を提供することができる。
【発明を実施するための最良の形態】
【００１５】
以下には、図面を参照して、この発明の具体的な実施形態について説明をする。
図１は、画像形成装置の一例としてのプリンタ１の構成を示す縦断図であり、プリンタ１はパソコン２と任意の通信回路網（ＬＡＮなど）３０によって接続されている。
プリンタ１は、その外形がハウジング１１により区画されており、ハウジング１１のたとえば下方には給紙カセット１２が備えられている。
【００１６】
ハウジング１１には、ＬＳＵ（レーザスキャニングユニット）１３、感光体ドラム１４、メインチャージャ１５、現像器１６、転写ベルト１７等を含むいわゆる画像形成部２０、および、用紙に転写されたトナー像を定着するための定着装置１８が内蔵されている。給紙カセット１２に収容された用紙Ｐは、搬送経路１９を搬送され、画像形成部２０および定着装置１８を通過することにより、用紙に画像が印刷される。そして印刷済用紙は、機外に露出または突出している上排出トレイ２１または横排出トレイ２２に排出される。上排出トレイ２１に印刷済用紙が排出されるか、横排出トレイ２２に印刷済用紙が排出されるかは、表示・操作パネル２６からの操作により切り換えることができる。
【００１７】
ハウジング１１の側面には、予め定める給紙部としての手差しトレイ２３が備えられている。手差しトレイ２３には、セットされた用紙があるか否かを検出するための用紙検出スイッチ２４が設けられている。手差しトレイ２３にセットされた用紙は、給紙経路２５を介して搬送経路１９に取り込まれ、搬送経路１９を通過する間に、画像形成部２０によりその上面にトナー像が転写され、転写されたトナー像は定着装置１８で定着されて、印刷が完了し、上排出トレイ２１または横排出トレイ２２へ排出される。
【００１８】
ハウジング１１には、表示・操作パネル２６が備えられている。このパネル２６には表示部２７および操作ボタン（ＯＫボタン）２８が備えられている。
さらに、このプリンタ１は、所定の接続ケーブルまたはＬＡＮ等の回路網３０を介してユーザのパソコン２と接続可能になっており、パソコン２から与えられる印刷データや印刷指示（両面印刷指示など）に基づき、与えられた印刷データの印刷処理を行えるようになっている。
【００１９】
図２は、図１に示すプリンタ１およびパソコン２の制御構成要素のブロック図である。プリンタ１は、制御中枢としてのＣＰＵ等で構成された制御部３１を備え、制御部３１には表示部２７、操作ボタン２８、用紙検出スイッチ２４が接続されている。また、制御部３１は画像形成部２０および定着装置１８の駆動を制御する。さらに、パソコン２からは、制御部３１に対し、印刷データや両面印刷指示が与えられ得る。また、制御部３１はパソコン２に対し報知信号等を出力することができ、パソコン２は、その報知信号に基づく報知情報をポップアップ表示し得る。
【００２０】
図３，図４は、図２に示す制御構成要素ブロック図における制御動作を示すフローチャートである。次に、図３，図４の流れに従って、図１および図２を参照しながら、この実施形態に係るプリンタ１において、両面印刷を行う場合の処理手順について説明をする。  まず、ユーザは、パソコン２において、両面印刷設定を行う（ステップＳ１）。両面印刷設定とは、プリンタ１に与えるべき印刷データの特定、および、用紙の表裏両面に印刷を行うべき旨の指示等である。パソコン２において両面印刷設定が行われた後、パソコン２からプリンタ１に対して両面印刷指示および印刷データが送信される（ステップＳ２）。
【００２１】
ステップＳ２で送信されてきた両面印刷指示および印刷データを受信したプリンタ１は、両面印刷モードを設定して（ステップＳ３）、受信した印刷データ以外の印刷は受け付けないようにする。
そして、プリンタ１は、両面印刷モードにおいて、受信した印刷データの中の表面用印刷データを用紙に印刷し、印刷済用紙を機外に排出する表面印刷を開始する（ステップＳ４）。
【００２２】
また、プリンタ１はパソコン２に報知信号を送り、その報知信号を受信したパソコン２では、「表面印刷終了後、表面印刷済用紙を手差しトレイにセットして下さい。かかる処理をすることを了解したなら、ＯＫボタンを押して下さい。」という旨のメッセージ表示と共に、ＯＫボタンを表示す（ステップＳ５）。
パソコン２を操作しているユーザは、ステップＳ５のメッセージを確認した後、表示されているＯＫボタンを押圧またはクリックする。これにより、ユーザが所定の補助動作を行うことを了解した旨のＯＫ信号が、プリンタ１へ与えられる（ステップＳ６）。
【００２３】
プリンタ１では、表面印刷が終了するのを待ち（ステップＳ７）、表面印刷の終了を起点として計時手段（この計時手段は制御部３１により実現されるソフトウェアタイマが例示できるが、制御部３１内に時間計測用のハードウェアタイマが備えられていてもよい。）によって時間計測が開始される（ステップＳ８）。そして手差しトレイ２３に表面印刷済の用紙がセットされるか否かが判別され（ステップＳ９）、また、計時手段が所定の第１時間であるＴ１時間を計時したか否かが判別される（ステップＳ１０）。Ｔ１時間は、たとえば、５分前後の時間とすることができる。
【００２４】
計時手段がＴ１時間を計時するまでに、手差しトレイ２３にユーザによって表面印刷済用紙がセットされると、それは用紙検出スイッチ２４で検出される。よって、プリンタ１は、手差しトレイ２３に用紙がセットされたことに応じて、セットされた用紙を順次取り込み、その用紙にステップＳ２で送信されてきた印刷データの中の裏面用印刷データを印刷する裏面印刷を行い、裏面印刷を行った用紙を機外へ排出する（ステップＳ１１）。
【００２５】
一方、計時手段がＴ１時間を計時するまでに、ユーザが、手差しトレイ２３に表面印刷済用紙をセットし忘れている場合には、ステップＳ１２へ進み、プリンタ１は両面印刷モードを中断して、ステップＳ２で送信されてきた印刷データ以外の印刷を可能な状態に切り換える（ステップＳ１２）。また、プリンタ１からパソコン２に対して報知信号が送信され、パソコン２において「両面印刷指示に基づき表面の印刷を終了したが、印刷済用紙が手差しトレイにセットされないまま所定時間が経過したので、送信されてきた印刷データのうちの裏面印刷用のデータを一時解放した。裏面印刷を再実行するのであれば、ＯＫボタンを押して下さい」という旨のメッセージとともに、ＯＫボタンが表示される（ステップＳ１３）。
【００２６】
ユーザが、たとえばうっかりしていて表面印刷済用紙を手差しトレイ２３にセットし忘れていた場合には、ユーザは、この表示を確認してＯＫボタンを押すことになる。
ところで、プリンタ１は、ステップＳ１２で説明したように、両面印刷モードを中断しているから、他のジョブ（他の印刷データ）を受付けて実行可能になっている（ステップＳ１４）。それゆえ、パソコン２からＯＫボタンの押圧信号が送られてこなければ、プリンタ１は、他のジョブを受付け、そのジョブの印刷処理を行う。これにより、あるユーザがプリンタ１を使用しており、しかも、そのユーザがうっかりとして裏面印刷のための用紙セットを忘れていた場合等に、プリンタ１を他のユーザが使用できないといった弊害をなくすることができる。
【００２７】
プリンタ１は、ステップＳ１２で、両面印刷モードを中断した後、所定の第２時間としてのＴ２時間が経過するまでの間に、ユーザからのＯＫボタンの押圧信号を受信しなかった場合には、両面印刷モードを解除する（ステップＳ１６）。両面印刷モードが解除されると、ステップＳ２でプリンタ１へ送信された印刷データは、プリンタ１から消去され、未実行の裏面印刷は行えなくなり、プリンタ１は他のジョブのための動作をその後自由に行える。
【００２８】
ステップＳ１５で判別しているＴ２時間は、たとえば３０分程度を設定するのが好ましい。計時手段は、ステップＳ８から計時を開始しているので、この実施形態では、ステップＳ１５において、表面印刷終了後約３５分程度が経過しても、ユーザから裏面印刷を行うべき旨の信号入力がない場合に、両面印刷モードが解除されることになる（ステップＳ１６）。
【００２９】
そして、既に説明したように、ステップＳ１２で両面印刷モードは中断されているから、表面印刷終了後５分程度の時間が経過した後、３５分程度の時間が経過するまでの約３０分間は、プリンタ１は動作しないわけではなく、他のジョブを受付け、その他のジョブの印刷動作を行い得るから、プリンタ１が特定のパソコン（ユーザ）により印刷が行われていないにもかかわらず占有されているといった弊害は生じない。
【００３０】
一方、計時手段がＴ２時間を計時するまでの間に、ユーザがパソコン２のＯＫボタンを押したときには、その信号がプリンタ１へ与えられ（ステップＳ１７でＹ）、プリンタ１は、両面印刷モードを中断中に受け付けた他のジョブの処理を一時停止して、両面印刷モードを復帰させる（ステップＳ１８）。そして、パソコン２に対して、改めて「手差しトレイ２３に表面印刷済の用紙をセットして下さい。このメッセージを確認したならばＯＫボタンを押して下さい。」という旨のメッセージとともにＯＫボタンの表示を行わせるよう、報知信号を送信する。パソコン２ではその報知信号に基づき上記メッセージおよびＯＫボタンを表示する（ステップＳ１９）。
【００３１】
プリンタ１では、手差しトレイ２３に用紙がセットされたか否かを判別し（ステップＳ２０）、また、ＯＫボタンが押されたか否かを判別する（ステップＳ２１）。
そして、手差しトレイ２３に表面印刷済の用紙がセットされ、かつ、ＯＫボタンが押された場合には、手差しトレイ２３にセットされている用紙を順次取り込み、その用紙に対してステップＳ２で送信されてきた印刷データに基づいて裏面印刷を実行する（ステップＳ２２）。
【００３２】
そして、裏面印刷が終了した後、設定していた両面印刷モードを解除する（ステップＳ２３）。
上述の実施形態の説明では、パソコン２に各種のメッセージおよびＯＫボタンが表示される構成について説明したが、メッセージはパソコン２にだけ表示される構成に代えて、プリンタ１の表示部２７にも同時に表示される構成としてもよい。また、その場合、パソコン２に表示されたＯＫボタンの押圧に代えて、プリンタ１のＯＫボタン２８が押されても、プリンタ１が上述した制御動作を実行する構成であってもよい。
【００３３】
さらに、上述の実施形態では、プリンタ１にパソコン２が接続されており、パソコン２から両面印刷指示および印刷データがプリンタ１に送信されるものとして説明した。
しかし、プリンタ１がたとえば複写機であり、パソコン２が接続されていない場合であっても、上述の制御動作を適用することができる。すなわち、画像形成装置が複写機であって単体で使用される場合において、ユーザが複写機に読み取らせた原稿に基づき両面印刷を行う旨を指示し、複写機が表面の印刷を開始した後、ユーザが一時複写機から離れている場合等において、この発明に係る印刷制御を適用すれば、ユーザの両面印刷が終了せず、複写機の両面印刷モードが中断されている場合に、他のユーザが複写機を利用することができ便利である。
【００３４】
また、元のユーザは、所定のＴ２時間が経過する前であれば、両面印刷モードを復帰させて、既に読み取らせた原稿データに基づいて両面印刷を滞りなく行わせることができ、便利である。
上述の実施形態では、表面印刷済の用紙をセットする給紙部として、手差しトレイ２３を例示したが、表面印刷済用紙をセットするための専用の給紙部が備えられていても構わない。
【００３５】
上記図３，図４で説明した制御手順において、計時手段はＴ１時間およびＴ２時間の２段階に時間を計時し（ステップＳ１０，Ｓ１５参照）、それぞれの時間が経過したか否かにより異なる制御を行っている。
しかし、これに代え、ステップＳ１０で計時手段が所定時間を計時するまでの間に、ユーザが手差しトレイ２３に表面印刷済用紙をセットしなかった場合に、両面印刷モードを中断するのに代えて、直ちに両面印刷モードを解除するという構成としてもよい。
【００３６】
すなわち、図３，図４において、ステップＳ１２以降の処理は行わず、ステップＳ１０で所定時間が経過したと判別されたことに基づき、ステップＳ１６の両面印刷モードを解除するという処理が行われる構成であってもよい。こうすることにより、特定のユーザにより両面印刷が中途半端になったまま、長時間プリンタ１が独占されているという不具合を解消することができる。
【００３７】
その他、この発明は、請求項記載の範囲内において種々の変更が可能である。
【図面の簡単な説明】
【００３８】
【図１】この発明の一実施形態に係る画像形成装置の一例としてのプリンタの構成を示す縦断面図である。
【図２】図１に示すプリンタおよびパソコンの制御構成要素のブロック図である。
【図３】図２に示す制御構成要素ブロック図における制御動作を示すフローチャートである。
【図４】図２に示す制御構成要素ブロック図における制御動作を示すフローチャートである。
【符号の説明】
【００３９】
１    プリンタ
２    パソコン
１２    給紙カセット
１８    定着装置
２０    画像形成部
２１    上排出トレイ
２２    横排出トレイ
２３    手差しトレイ
２４    用紙検出スイッチ
２７    表示部
２８    操作ボタン（ＯＫボタン）
３１    制御部
【図１】
2006255951.tif 000003
【図２】
2006255951.tif 000004
【図３】
2006255951.tif 000005
【図４】
2006255951.tif 000006